【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
無線アクセス端末（Ｗ−ＡＴ）との情報交換を提供するための情報転送方法であって、
プロキシサーバーにおいてＷ−ＡＴから第１のメッセージを受信することであって、前記第１のメッセージは、前記Ｗ−ＡＴによって提供された第１の情報と、前記Ｗ−ＡＴを識別することができる前記Ｗ−ＡＴのアドレスと、を含み、前記第１のメッセージは、前記Ｗ−ＡＴ上のユーザープロフィールを絞り込むことと関連する、ことと、
前記プロキシサーバーにおいて、前記Ｗ−ＡＴの前記アドレスを匿名化されたアドレス情報に代えることによって前記第１のメッセージを匿名化されたメッセージに変換し、これによって、前記Ｗ−ＡＴは前記匿名化されたアドレス情報によって特定されないことと、
前記匿名化されたメッセージを遠隔サーバーに送信することと、
を備える、情報転送方法。
【請求項２】
前記第１の情報は、前記Ｗ−ＡＴ上のターゲット特定コンテンツ−メッセージ情報または前記Ｗ−ＡＴ上のユーザープロフィール情報のうちの少なくとも１つに基づいて前記Ｗ−ＡＴにおいて生成される請求項１に記載の方法。
【請求項３】
前記匿名化されたメッセージを前記遠隔サーバーに送信後に、前記プロキシサーバーにおいて匿名化されたアドレス情報または前記Ｗ−ＡＴの前記アドレスのうちの少なくとも１つを削除することをさらに備える請求項１に記載の方法。
【請求項４】
前記プロキシサーバーにおいて、前記遠隔サーバーから第１の応答を受信することであって、前記第１の応答は、応答情報と、前記匿名化されたアドレス情報と、を有することと、
前記プロキシサーバーにおいて、前記匿名化されたアドレス情報を前記Ｗ−ＡＴの前記アドレスに代えることによって前記第１の応答を第２の応答に変換することと、
前記第２の応答を前記Ｗ−ＡＴに送信することと、
をさらに備える請求項１に記載の方法。
【請求項５】
前記第２の応答を前記Ｗ−ＡＴに送信後に、前記プロキシサーバーにおいて、前記匿名化されたアドレス情報または前記Ｗ−ＡＴの前記アドレスのうちの少なくとも１つを削除することをさらに備える請求項４に記載の方法。
【請求項６】
前記Ｗ−ＡＴの前記アドレスへの前記遠隔サーバーのアクセスを拒否することをさらに備える請求項２に記載の方法。
【請求項７】
前記匿名化されたアドレス情報は、前記Ｗ−ＡＴを識別するために前記プロキシサーバーによって用いられるトランザクション識別子（ＩＤ）を備える請求項４に記載の方法。
【請求項８】
ハッシュ関数を介して前記トランザクション識別子（ＩＤ）を生成することをさらに備える請求項７に記載の方法。
【請求項９】
前記応答情報は、前記Ｗ−ＡＴ上の前記ユーザープロフィールを絞り込むことと関連する請求項４に記載の方法。
【請求項１０】
前記応答情報は、前記Ｗ−ＡＴのユーザーの推定年齢または民族上の素性のうちの少なくとも１つに関連する情報を備える請求項４に記載の方法。
【請求項１１】
前記第１の情報は、前記Ｗ−ＡＴの地理上の所在場所を備える請求項１０に記載の方法。
【請求項１２】
前記地理上の所在場所は、第２の時間とは実質的に異なり前記第１のメッセージが前記Ｗ−ＡＴから送信される第１の時間と一致する請求項１１に記載の方法。
【請求項１３】
無線アクセス端末（Ｗ−ＡＴ）に情報を転送する能力を有するプロキシサーバーであって、
Ｗ−ＡＴから第１のメッセージを受信するための手段であって、前記第１のメッセージは、前記Ｗ−ＡＴによって提供された第１の情報と、前記Ｗ−ＡＴを識別することができる前記Ｗ−ＡＴのアドレスと、を含み、前記第１のメッセージは、前記Ｗ−ＡＴ上のユーザープロフィールを絞り込むことと関連する、手段と、
前記Ｗ−ＡＴの前記アドレスを匿名化されたアドレス情報に代えることによって前記第１のメッセージを匿名化されたメッセージに変換し、これによって、前記Ｗ−ＡＴは前記匿名化されたアドレス情報によって特定されないための手段と、
前記匿名化されたメッセージを遠隔サーバーに送信するための手段と、
を備える、プロキシサーバー。
【請求項１４】
前記第１の情報は、Ｗ−ＡＴ上のターゲット特定コンテンツ−メッセージ情報または前記Ｗ−ＡＴ上のユーザープロフィール情報のうちの少なくとも１つに基づいて前記Ｗ−ＡＴにおいて生成される請求項１３に記載のサーバー。
【請求項１５】
前記匿名化されたメッセージを送信後に、前記匿名化されたアドレス情報または前記Ｗ−ＡＴの前記アドレスのうちの少なくとも１つを削除するための手段をさらに備える請求項１３に記載のサーバー。
【請求項１６】
前記Ｗ−ＡＴの前記アドレスへの前記遠隔サーバーのアクセスを拒否するための手段をさらに備える、請求項１３に記載のサーバー。
【請求項１７】
前記匿名化されたアドレス情報は、前記Ｗ−ＡＴを識別するために前記プロキシサーバーによって用いられるトランザクション識別子（ＩＤ）を備える請求項１３に記載のサーバー。
【請求項１８】
ハッシュ関数を介して前記トランザクション識別子（ＩＤ）を生成するための手段をさらに備える請求項１７に記載のサーバー。
【請求項１９】
応答情報は、前記Ｗ−ＡＴの前記ユーザープロフィールに組み入れられるように機能する請求項５０に記載のサーバー。
【請求項２０】
前記応答情報は、前記Ｗ−ＡＴのユーザーの推定年齢または民族上の素性のうちの少なくとも１つに関連する情報を備える請求項１９に記載のサーバー。
【請求項２１】
前記第１の情報は、前記Ｗ−ＡＴの地理上の所在場所を備える請求項２０に記載のサーバー。
【請求項２２】
無線アクセス端末（Ｗ−ＡＴ）に情報を転送する能力を有するプロキシサーバーであって、
Ｗ−ＡＴから第１のメッセージを受信するように構成された無線受信回路であって、前記第１のメッセージは、前記Ｗ−ＡＴによって提供された第１の情報と、前記Ｗ−ＡＴを識別することができる前記Ｗ−ＡＴのアドレスと、を含み、前記第１のメッセージは、前記Ｗ−ＡＴ上のユーザープロフィールを絞り込むことと関連する、無線受信回路と、
前記Ｗ−ＡＴの前記アドレスを匿名化されたアドレス情報に代えることによって前記第１のメッセージを匿名化されたメッセージに変換し、これによって、前記Ｗ−ＡＴは前記匿名化されたアドレス情報によって特定されないように構成された第１の処理回路と、
前記匿名化されたメッセージを遠隔サーバーに送信するように構成された第１の送信回路と、
を備える、プロキシサーバー。
【請求項２３】
前記匿名化されたアドレス情報は、ハッシュ関数を介して生成されるトランザクション識別子（ＩＤ）を備える、請求項２２に記載のサーバー。
【請求項２４】
応答情報は、前記Ｗ−ＡＴのユーザーの推定年齢または民族上の素性のうちの少なくとも１つに関連する情報を備える請求項５０に記載のサーバー。
【請求項２５】
前記第１の情報は、前記Ｗ−ＡＴの地理上の所在場所を備える請求項２４に記載のサーバー。
【請求項２６】
コンピュータプログラムであって、
Ｗ−ＡＴから第１のメッセージを受信するための第１の組の命令であって、前記第１のメッセージは、前記Ｗ−ＡＴによって提供された第１の情報と、前記Ｗ−ＡＴを識別することができる前記Ｗ−ＡＴのアドレスと、を含み、前記第１のメッセージは、前記Ｗ−ＡＴ上のユーザープロフィールを絞り込むことと関連する、第１の組の命令と、
前記Ｗ−ＡＴの前記アドレスを匿名化されたアドレス情報に代えることによって前記第１のメッセージを匿名化されたメッセージに変換し、これによって、前記Ｗ−ＡＴは前記匿名化されたアドレス情報によって特定されないための第２の組の命令と、
前記匿名化されたメッセージを遠隔サーバーに送信するための第３の組の命令と、
を備える、非一時的コンピュータ可読媒体と、
を備える、コンピュータプログラム。
【請求項２７】
前記第１のメッセージを送信後に、前記匿名化されたアドレス情報または前記Ｗ−ＡＴの前記アドレスのうちの少なくとも１つを削除するための命令をさらに備える請求項２６に記載のコンピュータプログラム。
【請求項２８】
前記匿名化されたアドレス情報は、ハッシュ関数を介して生成されるトランザクション識別子（ＩＤ）を備える、請求項２６に記載のコンピュータプログラム。
【請求項２９】
応答情報は、前記Ｗ−ＡＴのユーザーの推定年齢または民族上の素性のうちの少なくとも１つに関連する情報を備える請求項２６に記載のコンピュータプログラム。
【請求項３０】
前記第１の情報は、Ｗ−ＡＴの地理上の所在場所を備える請求項２９に記載のコンピュータプログラム。
【請求項３１】
Ｗ−ＡＴから第１のメッセージを受信するように構成された無線受信回路であって、前記第１のメッセージは、前記Ｗ−ＡＴによって提供された第１の情報と、前記Ｗ−ＡＴを識別することができる前記Ｗ−ＡＴのアドレスと、を含み、前記第１のメッセージは、前記Ｗ−ＡＴ上のユーザープロフィールを絞り込むことと関連する、無線受信回路と、
前記Ｗ−ＡＴの前記アドレスを匿名化されたアドレス情報に代えることによって前記第１のメッセージを匿名化されたメッセージに変換し、これによって、前記Ｗ−ＡＴは前記匿名化されたアドレス情報によって特定されないように構成された第１の処理回路と、
前記匿名化されたメッセージを遠隔サーバーに送信するように構成された第１の送信回路と、
をいっしょに備える、１つ以上の集積回路。
【請求項３２】
プロキシサーバーの装置であって、
処理回路と、
Ｗ−ＡＴから第１のメッセージを受信するための第１の組の命令であって、前記第１のメッセージは、前記Ｗ−ＡＴによって提供された第１の情報と、前記Ｗ−ＡＴを識別することができる前記Ｗ−ＡＴのアドレスと、を含み、前記第１のメッセージは、前記Ｗ−ＡＴ上のユーザープロフィールを絞り込むことと関連する、第１の組の命令と、
前記Ｗ−ＡＴの前記アドレスをトランザクション識別子（ＩＤ）に代えることによって前記第１のメッセージを匿名化されたメッセージに変換し、これによって、前記Ｗ−ＡＴは前記トランザクション識別子（ＩＤ）によって特定されないための第２の組の命令と、
前記匿名化されたメッセージを遠隔サーバーに送信するための第３の組の命令と、
を含む前記処理回路に結合されたメモリと、
を備える、装置。
【請求項３３】
前記第１の情報は、前記Ｗ−ＡＴ上のターゲット特定コンテンツ−メッセージ情報または前記Ｗ−ＡＴ上のユーザープロフィール情報のうちの少なくとも１つに基づいて前記Ｗ−ＡＴにおいて生成される請求項３２に記載の装置。
【請求項３４】
前記匿名化されたメッセージを送信後に、前記プロキシサーバーにおいて、前記匿名化されたアドレス情報または前記Ｗ−ＡＴの前記アドレスのうちの少なくとも１つを削除する第４の組の命令をさらに備える請求項３２に記載の装置。
【請求項３５】
前記遠隔サーバーから第１の応答を受信するための第４の組の命令であって、前記第１の応答は、応答情報と、前記匿名化されたアドレス情報と、を有することと、
前記匿名化されたアドレス情報を前記Ｗ−ＡＴの前記アドレスに代えることによって前記第１の応答を第２の応答に変換するための第５の組の命令と、
前記第２の応答を前記Ｗ−ＡＴに送信するための第６の組の命令と、
をさらに備える、請求項３２に記載の装置。
【請求項３６】
前記第２の応答を前記Ｗ−ＡＴに送信後に、前記プロキシサーバーにおいて、前記匿名化されたアドレス情報または前記Ｗ−ＡＴの前記アドレスのうちの少なくとも１つを削除するための第７の組の命令をさらに備える請求項３５に記載の装置。
【請求項３７】
前記Ｗ−ＡＴの前記アドレスへの前記遠隔サーバーのアクセスを拒否するための第４の組の命令をさらに備える請求項３２に記載の装置。
【請求項３８】
前記匿名化されたアドレス情報は、前記Ｗ−ＡＴを識別するために前記プロキシサーバーによって用いられるトランザクション識別子（ＩＤ）を備える請求項３５に記載の装置。
【請求項３９】
ハッシュ関数を介して前記トランザクション識別子ＩＤを生成するための第７の組の命令をさらに備える請求項３８に記載の装置。
【請求項４０】
前記応答情報は、前記Ｗ−ＡＴ上の前記ユーザープロフィールを絞り込むことと関連する請求項３５に記載の装置。
【請求項４１】
前記応答情報は、前記Ｗ−ＡＴのユーザーの推定年齢または民族上の素性のうちの少なくとも１つに関連する情報である請求項３５に記載の装置。
【請求項４２】
前記第１の情報は、前記Ｗ−ＡＴの地理上の所在場所を備える請求項４１に記載の装置。
【請求項４３】
前記地理上の所在場所は、第２の時間とは実質的に異なり前記第１のメッセージが前記Ｗ−ＡＴから送信される第１の時間と一致する請求項４２に記載の装置。
【請求項４４】
前記第１のメッセージに基づいて、前記Ｗ−ＡＴへ広告コンテンツを送信するための第４の組の命令をさらに備える、請求項３２に記載の装置。
【請求項４５】
前記第１のメッセージに基づいて、前記Ｗ−ＡＴへ広告コンテンツを送信することをさらに備える、請求項１に記載の方法。
【請求項４６】
前記遠隔サーバーから第１の応答を受信するための手段であって、前記第１の応答は、応答情報と、匿名化されたアドレス情報と、を有することと、
前記匿名化されたアドレス情報を前記Ｗ−ＡＴの前記アドレスに代えることによって前記第１の応答を第２の応答に変換するための手段と、
前記Ｗ−ＡＴの前記アドレス情報の使用によって、前記第２の応答を前記Ｗ−ＡＴへ送信するための手段と、
をさらに備える請求項１３に記載のサーバー。
【請求項４７】
前記第２の応答を送信後に、前記匿名化されたアドレス情報または前記Ｗ−ＡＴの前記アドレスのうちの少なくとも１つを削除するための手段をさらに備える請求項４６に記載のサーバー。
【請求項４８】
前記地理上の所在場所は、第２の時間とは実質的に異なり前記第１のメッセージが前記Ｗ−ＡＴから送信される第１の時間と一致する請求項２１に記載のサーバー。
【請求項４９】
前記第１のメッセージに基づいて、前記Ｗ−ＡＴへ広告コンテンツを送信するための手段をさらに備える、請求項１３に記載のサーバー。
【請求項５０】
前記第１の情報は、前記Ｗ−ＡＴ上のターゲット特定コンテンツ−メッセージ情報または前記Ｗ−ＡＴ上のユーザープロフィール情報のうちの少なくとも１つに基づいて前記Ｗ−ＡＴにおいて生成される請求項２２に記載のサーバー。
【請求項５１】
前記匿名化されたメッセージを前記遠隔サーバーへ送信後に、前記プロキシサーバーにおいて、前記匿名化されたアドレス情報または前記Ｗ−ＡＴの前記アドレスのうちの少なくとも１つを削除するように構成された第２の処理回路
をさらに備える請求項２２に記載のサーバー。
【請求項５２】
前記遠隔サーバーから第１の応答を受信するように構成された第１の受信回路であって、前記第１の応答は、応答情報と、トランザクション識別子（ＩＤ）と、を有することと、
前記Ｗ−ＡＴの前記アドレスを前記トランザクション識別子（ＩＤ）に代えることによって前記第１の応答を第２の応答に変換するように構成された第２の処理回路と、
前記Ｗ−ＡＴの前記アドレスの使用によって、前記第２の応答を前記Ｗ−ＡＴに送信するように構成された無線送信回路、とをさらに備える請求項２２に記載のサーバー。
【請求項５３】
前記第２の応答を送信後に、前記匿名化されたアドレス情報または前記Ｗ−ＡＴの前記アドレスのうちの少なくとも１つを削除するように構成された第３の処理回路
をさらに備える請求項５２に記載のサーバー。
【請求項５４】
前記地理上の所在場所は、第２の時間とは実質的に異なり前記第１のメッセージが前記Ｗ−ＡＴから送信される第１の時間と一致する請求項２５に記載のサーバー。
【請求項５５】
前記第１のメッセージに基づいて、前記Ｗ−ＡＴへ広告コンテンツを送信するように構成された無線送信回路をさらに備える、請求項２２に記載のサーバー。
【請求項５６】
前記第１の情報は、前記Ｗ−ＡＴ上のターゲット特定コンテンツ−メッセージ情報または前記Ｗ−ＡＴ上のユーザープロフィール情報のうちの少なくとも１つに基づいて前記Ｗ−ＡＴにおいて生成される請求項２６に記載のコンピュータプログラム。
【請求項５７】
前記遠隔サーバーから第１の応答を受信するための第４の組の命令であって、前記第１の応答は、応答情報と、前記匿名化されたアドレス情報と、を有することと、
トランザクション識別子（ＩＤ）を前記Ｗ−ＡＴの前記アドレスに代えることによって前記第１の応答を第２の応答に変換するための第５の組の命令と、
前記第２の応答を前記Ｗ−ＡＴに送信するための第６の組の命令と、
をさらに備える、請求項２６に記載のコンピュータプログラム。
【請求項５８】
前記第２の応答を送信後に、前記匿名化されたアドレス情報または前記Ｗ−ＡＴの前記アドレスのうちの少なくとも１つを削除するための第７の組の命令をさらに備える請求項５７に記載のコンピュータプログラム。
【請求項５９】
前記第１のメッセージに基づいて、前記Ｗ−ＡＴへ広告コンテンツを送信するための第４の組の命令をさらに備える、請求項２６に記載のコンピュータプログラム。
【手続補正２】
【補正対象書類名】明細書
【補正対象項目名】０１２６
【補正方法】変更
【補正の内容】
【０１２６】
開示される実施形態に関する上記の説明は、当業者がここにおいて開示される特徴、機能、動作、及び実施形態を製造する又は使用するのを可能にすることを目的とするものである。これらの実施形態に対する様々な修正は、当業者にとって容易に明確になるであろう。さらに、ここにおいて定められている一般原理は、その精神又は適用範囲を逸脱しない形でその他の側面に対しても適用することができる。以上のように、本開示は、ここにおいて示される実施形態に限定されることが意図されるものではなく、ここにおいて開示される原理及び斬新な特徴に一致する限りにおいて最も広範な適用範囲が認められるべきである。
以下に、本願出願の当初の特許請求の範囲に記載された発明を付記する。
[Ｃ１]
無線アクセス端末（Ｗ−ＡＴ）との情報交換を提供するための情報転送方法であって、
プロキシサーバーにおいてＷ−ＡＴから第１のメッセージを受信することであって、前記第１のメッセージは、前記Ｗ−ＡＴによって提供された第１の情報と、前記Ｗ−ＡＴを識別することができる前記Ｗ−ＡＴのアドレスと、を含むことと、
前記プロキシサーバーにおいて、前記Ｗ−ＡＴアドレスをトランザクション識別子（ＩＤ）に代えることによって前記第１のメッセージを匿名化されたメッセージに変換することと、
前記匿名化されたメッセージを遠隔サーバーに送信すること、とを備える、情報転送方法。
[Ｃ２]
前記第１の情報は、Ｗ−ＡＴ上のターゲット特定コンテンツ−メッセージ情報及び前記Ｗ−ＡＴ上のユーザープロフィール情報のうちの少なくとも１つに基づいて前記Ｗ−ＡＴにおいて生成されるＣ１に記載の方法。
[Ｃ３]
前記匿名化されたメッセージを前記遠隔サーバーに送信後に、前記プロキシサーバーにおいて前記トランザクションＩＤ及び前記Ｗ−ＡＴアドレス情報のうちの少なくとも１つを削除することをさらに備えるＣ２に記載の方法。
[Ｃ４]
前記プロキシサーバーにおいて、前記遠隔サーバーから第１の応答を受信することであって、前記第１の応答は、応答情報と、前記匿名化されたアドレス情報と、を有することと、
前記プロキシサーバーにおいて、トランザクションＩＤを前記Ｗ−ＡＴアドレスに代えることによって前記第１の応答を第２の応答に変換することと、
前記第２の応答を前記Ｗ−ＡＴに送信すること、とをさらに備えるＣ２記載の方法。
[Ｃ５]
前記第２の応答を前記Ｗ−ＡＴに送信後に、前記トランザクションＩＤ及び前記Ｗ−ＡＴアドレス情報のうちの少なくとも１つを削除することをさらに備えるＣ４に記載の方法。
[Ｃ６]
前記遠隔サーバーは、前記Ｗ−ＡＴアドレスが否定されるＣ２に記載の方法。
[Ｃ７]
前記トランザクションＩＤは、前記Ｗ−ＡＴを識別するために前記プロキシサーバーによって用いられるＣ４に記載の方法。
[Ｃ８]
前記トランザクションＩＤは、ハッシュ関数を介して生成されるＣ７に記載の方法。
[Ｃ９]
前記応答情報を前記Ｗ−ＡＴのユーザープロフィールに組み入れることをさらに備えるＣ７に記載の方法。
[Ｃ１０]
前記応答情報は、前記ユーザーの推定年齢及び民族上の素性のうちの少なくとも１つに関連する情報であるＣ４に記載の方法。
[Ｃ１１]
前記第１の情報は、地理上の所在場所であるＣ９に記載の方法。
[Ｃ１２]
前記Ｗ−ＡＴは、前記第１の情報は絶対にリアルタイムでは翻訳されないように構成されるＣ１１に記載の方法。
[Ｃ１３]
無線アクセス端末（Ｗ−ＡＴ）に情報を転送する能力を有するプロキシサーバーであって、
Ｗ−ＡＴから第１のメッセージを受信するための手段であって、前記第１のメッセージは、前記Ｗ−ＡＴによって提供された第１の情報と、前記Ｗ−ＡＴを識別することができる前記Ｗ−ＡＴのアドレスと、を含む手段と、
前記Ｗ−ＡＴアドレスをトランザクション識別子（ＩＤ）に代えることによって前記第１のメッセージを匿名化されたメッセージに変換するための手段と、
前記匿名化されたメッセージを遠隔サーバーに送信するための手段と、
前記遠隔サーバーから第１の応答を受信するための手段であって、前記第１の応答は、応答情報と、前記トランザクションＩＤと、を有する手段と、
前記トランザクションＩＤを前記Ｗ−ＡＴアドレスに代えることによって前記第１の応答を第２の応答に変換するための手段と、
前記Ｗ−ＡＴアドレス情報を用いることによって前記第２の応答を前記Ｗ−ＡＴに送信するための手段と、を備える、プロキシサーバー。
[Ｃ１４]
前記第１の情報は、Ｗ−ＡＴ上のターゲット特定コンテンツ−メッセージ情報及び前記Ｗ−ＡＴ上のユーザープロフィール情報のうちの少なくとも１つに基づいて前記Ｗ−ＡＴにおいて生成されるＣ１３に記載のサーバー。
[Ｃ１５]
前記トランザクションＩＤ及び前記Ｗ−ＡＴアドレス情報のうちの少なくとも１つを削除するための手段をさらに備えるＣ１３に記載のサーバー。
[Ｃ１６]
前記遠隔サーバーは、前記Ｗ−ＡＴアドレスが否定されるＣ１３に記載のサーバー。
[Ｃ１７]
前記トランザクションＩＤは、前記Ｗ−ＡＴを識別するために前記プロキシサーバーによって用いられるＣ１３に記載のサーバー。
[Ｃ１８]
前記トランザクションＩＤは、ハッシュ関数を介して生成されるＣ１７に記載のサーバー。
[Ｃ１９]
前記応答情報は、前記Ｗ−ＡＴのユーザープロフィールに組み入れられるＣ１４に記載のサーバー。
[Ｃ２０]
前記応答情報は、前記ユーザーの推定年齢及び民族上の素性のうちの少なくとも１つに関連する情報であるＣ１９に記載のサーバー。
[Ｃ２１]
前記第１の情報は、地理上の所在場所であるＣ２０に記載のサーバー。
[Ｃ２２]
無線アクセス端末（Ｗ−ＡＴ）に情報を転送する能力を有するプロキシサーバーであって、
Ｗ−ＡＴから第１のメッセージを受信するように構成された無線受信回路であって、前記第１のメッセージは、前記Ｗ−ＡＴによって提供された第１の情報と、前記Ｗ−ＡＴを識別することができる前記Ｗ−ＡＴのアドレスと、を含む無線受信回路と、
前記Ｗ−ＡＴアドレスをトランザクション識別子（ＩＤ）に代えることによって前記第１のメッセージを匿名化されたメッセージに変換するように構成された第１の処理回路と、
前記匿名化されたメッセージを遠隔サーバーに送信するように構成された第１の送信回路と、
前記遠隔サーバーから第１の応答を受信するように構成された第１の受信回路であって、前記第１の応答は、応答情報と、前記トランザクションＩＤと、を有する第１の受信回路と、
前記トランザクションＩＤを前記Ｗ−ＡＴアドレスに代えることによって前記第１の応答を第２の応答に変換するように構成された第２の処理回路と、
前記Ｗ−ＡＴアドレス情報を用いることによって前記第２の応答を前記Ｗ−ＡＴに送信するように構成された無線送信回路と、を備える、プロキシサーバー。
[Ｃ２３]
前記トランザクションＩＤは、ハッシュ関数を介して生成されるＣ２２に記載のサーバー。
[Ｃ２４]
前記応答情報は、前記ユーザーの推定年齢及び民族上の素性のうちの少なくとも１つに関連する情報であるＣ２２に記載のサーバー。
[Ｃ２５]
前記第１の情報は、地理上の所在場所であるＣ２４に記載のサーバー。
[Ｃ２６]
コンピュータプログラム製品であって、
Ｗ−ＡＴから第１のメッセージを受信するための第１の組の命令であって、前記第１のメッセージは、前記Ｗ−ＡＴによって提供された第１の情報と、前記Ｗ−ＡＴを識別することができる前記Ｗ−ＡＴのアドレスと、を含む第１の組の命令と、
前記Ｗ−ＡＴアドレスをトランザクション識別子（ＩＤ）に代えることによって前記第１のメッセージを匿名化されたメッセージに変換するための第２の組の命令と、
前記匿名化されたメッセージを遠隔サーバーに送信するための第３の組の命令と、
前記遠隔サーバーから第１の応答を受信するための第４の組の命令であって、前記第１の応答は、応答情報と、前記匿名化されたアドレス情報と、を有する第４の組の命令と、
前記トランザクションＩＤを前記Ｗ−ＡＴアドレスに代えることによって前記第１の応答を第２の応答に変換するための第５の組の命令と、
前記第２の応答を前記Ｗ−ＡＴに送信するための第６の組の命令と、を備えるコンピュータによって読み取り可能な媒体、を備える、コンピュータプログラム製品。
[Ｃ２７]
前記トランザクションＩＤ及び前記Ｗ−ＡＴアドレス情報のうちの少なくとも１つを削除するための命令をさらに備えるＣ２６に記載のコンピュータプログラム製品。
[Ｃ２８]
前記トランザクションＩＤは、ハッシュ関数を介して生成されるＣ２６に記載のコンピュータプログラム製品。
[Ｃ２９]
前記応答情報は、前記ユーザーの推定年齢及び民族上の素性のうちの少なくとも１つに関連する情報であるＣ２６に記載のコンピュータプログラム製品。
[Ｃ３０]
前記第１の情報は、地理上の所在場所であるＣ２９に記載のコンピュータプログラム製品。
[Ｃ３１]
Ｗ−ＡＴから第１のメッセージを受信するように構成された無線受信回路であって、前記第１のメッセージは、前記Ｗ−ＡＴによって提供された第１の情報と、前記Ｗ−ＡＴを識別することができる前記Ｗ−ＡＴのアドレスと、を含む無線受信回路と、
前記Ｗ−ＡＴアドレスをトランザクション識別子（ＩＤ）に代えることによって前記第１のメッセージを匿名化されたメッセージに変換するように構成された第１の処理回路と、
前記匿名化されたメッセージを遠隔サーバーに送信するように構成された第１の送信回路と、
前記遠隔サーバーから第１の応答を受信するように構成された第１の受信回路であって、前記第１の応答は、応答情報と、前記トランザクションＩＤと、を有する第１の受信回路と、
前記トランザクションＩＤを前記Ｗ−ＡＴアドレスに代えることによって前記第１の応答を第２の応答に変換するように構成された第２の処理回路と、
前記Ｗ−ＡＴアドレス情報を用いることによって前記第２の応答を前記Ｗ−ＡＴに送信するように構成された無線送信回路と、をいっしょに備える、１つ以上の集積回路。
[Ｃ３２]
装置であって、
処理回路と、
Ｗ−ＡＴから第１のメッセージを受信するための第１の組の命令であって、前記第１のメッセージは、前記Ｗ−ＡＴによって提供された第１の情報と、前記Ｗ−ＡＴを識別することができる前記Ｗ−ＡＴのアドレスと、を含む第１の組の命令と、
前記Ｗ−ＡＴアドレスをトランザクション識別子（ＩＤ）に代えることによって前記第１のメッセージを匿名化されたメッセージに変換するための第２の組の命令と、
前記匿名化されたメッセージを遠隔サーバーに送信するための第３の組の命令と、
前記遠隔サーバーから第１の応答を受信するための第４の組の命令であって、前記第１の応答は、応答情報と、前記匿名化されたアドレス情報と、を有する第４の組の命令と、
前記トランザクションＩＤを前記Ｗ−ＡＴアドレスに代えることによって前記第１の応答を第２の応答に変換するための第５の組の命令と、
前記第２の応答を前記Ｗ−ＡＴに送信するための第６の組の命令と、を含む前記処理回路に結合されたメモリと、を備える、装置。